(57)【要約】      （修正有）【課題】取引における予測損益の大きさを直感的に分かりやすく表示させる予測損益表示システム、予測損益表示方法及びプログラムを提供する。【解決手段】予測損益表示システムのサーバ１０において、算出部１０１は、取引における予測損益を算出する。生成部１０２は、予測損益の大きさに基づいて、所定の価格軸に沿って表示態様を異ならせた予測損益画像を生成する。表示制御部１０３は、予測損益画像を表示手段に表示させる。【選択図】図６
2022003483.tif 000002
【特許請求の範囲】
【請求項１】
取引における予測損益を算出する算出手段と、
前記予測損益の大きさに基づいて、所定の価格軸に沿って表示態様を異ならせた予測損益画像を生成する生成手段と、
前記予測損益画像を表示手段に表示させる表示制御手段と、
を含む予測損益表示システム。
【請求項２】
前記取引は、オプション取引であり、
前記算出手段は、前記オプション取引における予測損益を算出し、
前記生成手段は、前記オプション取引における予測損益の大きさに基づいて、前記価格軸に沿って前記予測損益画像の表示態様を異ならせる、
請求項１に記載の予測損益表示システム。
【請求項３】
前記生成手段は、前記オプション取引における原資産の価格を示す前記価格軸に沿って、前記予測損益画像の表示態様を異ならせる、
請求項２に記載の予測損益表示システム。
【請求項４】
前記算出手段は、前記オプション取引における原資産の価格に応じた前記予測損益を算出する、
請求項２又は３に記載の予測損益表示システム。
【請求項５】
前記表示制御手段は、前記オプション取引における原資産の株価チャートの価格軸と前記予測損益画像の価格軸が一致するように、前記株価チャートと前記予測損益画像を並べて前記表示手段に表示させる、
請求項２〜４の何れかに記載の予測損益表示システム。
【請求項６】
前記算出手段は、前記予測損益の時系列的な変化を算出し、
前記生成手段は、前記予測損益の大きさの時系列的な変化に基づいて、前記価格軸と直交する時間軸に沿って前記予測損益画像の表示態様を異ならせる、
請求項２〜５の何れかに記載の予測損益表示システム。
【請求項７】
前記生成手段は、前記オプション取引における満期時までの期間の長さに基づいて、前記予測損益画像の前記時間軸方向の幅を決定する、
請求項６に記載の予測損益表示システム。
【請求項８】
前記表示制御手段は、前記オプション取引における原資産の株価チャートの時間軸と前記予測損益画像の時間軸とが一致するように、前記株価チャートと前記予測損益画像を並べて前記表示手段に表示させる、
請求項６又は７に記載の予測損益表示システム。
【請求項９】
前記生成手段は、前記株価チャートにおけるローソク足の前記時間軸方向の幅に対応する期間の長さに基づいて、前記予測損益画像の前記時間軸方向の幅を決定する、
請求項８に記載の予測損益表示システム。
【請求項１０】
前記表示制御手段は、
前記予測損益画像の価格軸において、前記オプション取引の満期時における予測利益の上限値及び予測損益の下限値の少なくとも一方を示すように、所定の画像を表示させ、
ユーザにより行われた移動操作に基づいて、前記所定の画像を前記価格軸方向に移動させ、
前記予測損益表示システムは、前記移動操作に基づいて、前記オプション取引における注文内容を変更する変更手段を更に含み、
前記算出手段は、変更された注文内容に基づいて、前記予測損益を更に算出し、
前記生成手段は、変更された注文内容に基づいて、前記予測損益画像を更に生成する、
請求項２〜９の何れかに記載の予測損益表示システム。
【請求項１１】
前記算出手段は、ユーザにより指定された、前記オプション取引におけるシナリオ及び戦略の少なくとも一方に基づいて、前記予測損益を算出する、
請求項２〜１０の何れかに記載の予測損益表示システム。
【請求項１２】
前記生成手段は、ユーザにより指定された、前記予測損益の大きさに関する閾値に基づいて、前記予測損益画像を生成する、
請求項１〜１１の何れかに記載の予測損益表示システム。
【請求項１３】
前記生成手段は、ユーザにより指定された、前記予測損益の大きさに関する色に基づいて、前記予測損益画像を生成する、
請求項１〜１２の何れかに記載の予測損益表示システム。
【請求項１４】
前記生成手段は、前記予測損益の大きさに基づいて、前記予測損益画像の色及び濃淡の少なくとも一方を異ならせる、
請求項１〜１３の何れかに記載の予測損益表示システム。
【請求項１５】
前記予測損益画像は、前記価格軸に平行な辺を有する四角形の画像であり、
前記生成手段は、前記予測損益の大きさに基づいて、前記四角形の中の表示態様を異ならせる、
請求項１〜１４の何れかに記載の予測損益表示システム。
【請求項１６】
取引における予測損益を算出する算出ステップと、
前記予測損益の大きさに基づいて、所定の価格軸に沿って表示態様を異ならせた予測損益画像を生成する生成ステップと、
前記予測損益画像を表示手段に表示させる表示制御ステップと、
を含む予測損益表示方法。
【請求項１７】
取引における予測損益を算出する算出手段、
前記予測損益の大きさに基づいて、所定の価格軸に沿って表示態様を異ならせた予測損益画像を生成する生成手段、
前記予測損益画像を表示手段に表示させる表示制御手段、
としてコンピュータを機能させるためのプログラム。
【発明の詳細な説明】
【技術分野】
【０００１】
本開示は、予測損益表示システム、予測損益表示方法、及びプログラムに関する。
【背景技術】
【０００２】
従来、取引における予測損益を表示させる技術が知られている。例えば、オプション取引では、原資産価格を横軸とし、予測損益を縦軸とした損益チャートにおいて、取引における予測損益を表示させることが行われている。損益チャートでは、原資産価格と予測損益の関係性が正しく表示される。また例えば、銘柄の値動きを示すものとして、時間を横軸とし、銘柄の価格を縦軸とした株価チャートも知られている。オプション取引の原資産価格の推移は、原資産の株価チャートで示される。例えば、特許文献１には、損益チャートと株価チャートを隣接して表示させることによって、これらのチャートを関連付けて表示するユーザインタフェースが記載されている。
【先行技術文献】
【特許文献】
【０００３】
【特許文献１】特開２０１８−５３００８７号公報
【発明の概要】
【発明が解決しようとする課題】
【０００４】
特許文献１のユーザインタフェースは、価格軸（縦軸）とは異なる軸であって、時間軸（横軸）に平行な収益性結果軸をチャート上部に設けることによって、収益性結果軸において、所定の日付における予測損益を示すものである。このようなユーザインタフェースは、取引における予測損益の大きさを直感的に把握できるものではなく、使い勝手がよいものではなかった。
【０００５】
本開示の目的は、取引における予測損益の大きさを直感的に分かりやすく表示させることである。
【課題を解決するための手段】
【０００６】
本開示に係る予測損益表示システムは、取引における予測損益を算出する算出手段と、前記予測損益の大きさに基づいて、所定の価格軸に沿って表示態様を異ならせた予測損益画像を生成する生成手段と、前記予測損益画像を表示手段に表示させる表示制御手段と、を含む。
【０００７】
本開示に係る予測損益表示方法は、取引における予測損益を算出する算出ステップと、前記予測損益の大きさに基づいて、所定の価格軸に沿って表示態様を異ならせた予測損益画像を生成する生成ステップと、前記予測損益画像を表示手段に表示させる表示制御ステップと、を含む。
【０００８】
本開示に係るプログラムは、取引における予測損益を算出する算出手段、前記予測損益の大きさに基づいて、所定の価格軸に沿って表示態様を異ならせた予測損益画像を生成する生成手段、前記予測損益画像を表示手段に表示させる表示制御手段、としてコンピュータを機能させる。
【０００９】
本開示の一態様では、前記取引は、オプション取引であり、前記算出手段は、前記オプション取引における予測損益を算出し、前記生成手段は、前記オプション取引における予測損益の大きさに基づいて、前記価格軸に沿って前記予測損益画像の表示態様を異ならせる。
【００１０】
本開示の一態様では、前記生成手段は、前記オプション取引における原資産の価格を示す前記価格軸に沿って、前記予測損益画像の表示態様を異ならせる。
【００１１】
本開示の一態様では、前記算出手段は、前記オプション取引における原資産の価格に応じた前記予測損益を算出する。
【００１２】
本開示の一態様では、前記表示制御手段は、前記オプション取引における原資産の株価チャートの価格軸と前記予測損益画像の価格軸が一致するように、前記株価チャートと前記予測損益画像を並べて前記表示手段に表示させる。
【００１３】
本開示の一態様では、前記算出手段は、前記予測損益の時系列的な変化を算出し、前記生成手段は、前記予測損益の大きさの時系列的な変化に基づいて、前記価格軸と直交する時間軸に沿って前記予測損益画像の表示態様を異ならせる。
【００１４】
本開示の一態様では、前記生成手段は、前記オプション取引における満期時までの期間の長さに基づいて、前記予測損益画像の前記時間軸方向の幅を決定する。
【００１５】
本開示の一態様では、前記表示制御手段は、前記オプション取引における原資産の株価チャートの時間軸と前記予測損益画像の時間軸とが一致するように、前記株価チャートと前記予測損益画像を並べて前記表示手段に表示させる。
【００１６】
本開示の一態様では、前記生成手段は、前記株価チャートにおけるローソク足の前記時間軸方向の幅に対応する期間の長さに基づいて、前記予測損益画像の前記時間軸方向の幅を決定する。
【００１７】
本開示の一態様では、前記表示制御手段は、前記予測損益画像の価格軸において、前記オプション取引の満期時における予測利益の上限値及び予測損益の下限値の少なくとも一方を示すように、所定の画像を表示させ、ユーザにより行われた移動操作に基づいて、前記所定の画像を前記価格軸方向に移動させ、前記予測損益表示システムは、前記移動操作に基づいて、前記オプション取引における注文内容を変更する変更手段を更に含み、前記算出手段は、変更された注文内容に基づいて、前記予測損益を更に算出し、前記生成手段は、変更された注文内容に基づいて、前記予測損益画像を更に生成する。
【００１８】
本開示の一態様では、前記算出手段は、ユーザにより指定された、前記オプション取引におけるシナリオ及び戦略の少なくとも一方に基づいて、前記予測損益を算出する。
【００１９】
本開示の一態様では、前記生成手段は、ユーザにより指定された、前記予測損益の大きさに関する閾値に基づいて、前記予測損益画像を生成する。
【００２０】
本開示の一態様では、前記生成手段は、ユーザにより指定された、前記予測損益の大きさに関する色に基づいて、前記予測損益画像を生成する。
【００２１】
本開示の一態様では、前記生成手段は、前記予測損益の大きさに基づいて、前記予測損益画像の色及び濃淡の少なくとも一方を異ならせる。
【００２２】
本開示の一態様では、前記予測損益画像は、前記価格軸に平行な辺を有する四角形の画像であり、前記生成手段は、前記予測損益の大きさに基づいて、前記四角形の中の表示態様を異ならせる。
【発明の効果】
【００２３】
本開示によれば、取引における予測損益の大きさを直感的に分かりやすく表示させることができる。
【図面の簡単な説明】
【００２４】
【図１】予測損益表示システムの全体構成を示す図である。
【図２】注文画面の一例を示す図である。
【図３】ユーザがシナリオを選択した場合の注文画面の一例を示す図である。
【図４】ユーザが戦略を選択した場合の注文画面の一例を示す図である。
【図５】ユーザが戦略を変更した場合に予測損益画像が変化する様子を示す図である。
【図６】予測損益表示システムで実現される機能の一例を示す機能ブロック図である。
【図７】予測損益画像の生成方法を示す図である。
【図８】予測損益表示システムで実行される処理の一例を示すフロー図である。
【図９】予測損益表示システムで実行される処理の一例を示すフロー図である。
【発明を実施するための形態】
【００２５】
［１．予測損益表示システムの全体構成］
以下、本開示に係る予測損益表示システムの実施形態の例を説明する。図１は、予測損益表示システムの全体構成を示す図である。図１に示すように、予測損益表示システムＳは、サーバ１０とユーザ端末２０とを含み、これらは、インターネット又はＬＡＮなどのネットワークＮに接続される。なお、図１ではサーバ１０とユーザ端末２０とを１台ずつ示しているが、これらは複数台あってもよい。
【００２６】
サーバ１０は、サーバコンピュータである。例えば、サーバ１０は、制御部１１、記憶部１２、及び通信部１３を含む。制御部１１は、少なくとも１つのプロセッサを含む。制御部１１は、記憶部１２に記憶されたプログラムやデータに従って処理を実行する。記憶部１２は、主記憶部及び補助記憶部を含む。例えば、主記憶部はＲＡＭなどの揮発性メモリであり、補助記憶部は、ＲＯＭ、ＥＥＰＲＯＭ、フラッシュメモリ、又はハードディスクなどの不揮発性メモリである。通信部１３は、有線通信又は無線通信用の通信インタフェースであり、ネットワークＮを介してデータ通信を行う。
【００２７】
ユーザ端末２０は、ユーザが操作するコンピュータである。例えば、ユーザ端末２０は、パーソナルコンピュータ、携帯情報端末（タブレット型コンピュータ及びウェアラブル端末を含む）、又は携帯電話機（スマートフォンを含む）等である。例えば、ユーザ端末２０は、制御部２１、記憶部２２、通信部２３、操作部２４、及び表示部２５を含む。制御部２１、記憶部２２、及び通信部２３の物理的構成は、それぞれ制御部１１、記憶部１２、及び通信部１３と同様であってよい。操作部２４は、入力デバイスであり、例えば、タッチパネルやマウス等のポインティングデバイス、キーボード、又はボタン等である。表示部２５は、例えば、液晶表示部又は有機ＥＬ表示部等である。
【００２８】
なお、記憶部１２，２２に記憶されるものとして説明するプログラム及びデータは、ネットワークＮを介して供給されるようにしてもよい。また、サーバ１０及びユーザ端末２０の各々のハードウェア構成は、上記の例に限られず、種々のハードウェアを適用可能である。例えば、コンピュータ読み取り可能な情報記憶媒体を読み取る読取部（例えば、光ディスクドライブやメモリカードスロット）や外部機器とデータの入出力をするための入出力部（例えば、ＵＳＢポート）が含まれていてもよい。例えば、情報記憶媒体に記憶されたプログラムやデータが読取部や入出力部を介して、各コンピュータに供給されるようにしてもよい。
【００２９】
［２．予測損益表示システムの概要］
予測損益表示システムＳでは、取引における予測損益が算出される。取引は、取引対象を売買することであり、例えば、株取引である。取引対象は、取引において売買の対象となるものであり、例えば、株取引の対象となる株式である。取引対象は、取引における商品ということもできる。
【００３０】
本実施形態では、取引の一例として、オプション取引を説明する。オプション取引は、予め定められた満期時までに、予め定められた行使価格で、原資産を買う権利（コールオプション）又は売る権利（プットオプション）を、プレミアム又はオプション価格と呼ばれる所定の価格で売買することである。このため、本実施形態では、オプション取引の対象となるオプションが取引対象に相当する。なお、予測損益表示システムＳは、オプション取引以外の他の取引に適用してもよい。他の取引の適用例については、後述の変形例で説明する。
【００３１】
また、本実施形態では、オプション取引の一例として、日経２２５オプションを説明する。この場合、日経平均を買う権利又は売る権利が取引対象に相当する。日経２２５オプションの詳細は、証券会社のウェブサイト等を参照されたい（例えば、https://www.rakuten-sec.co.jp/web/fop/option/guide/beginner_intro.html）。なお、オプション取引は、日経２２５オプションに限られず、日本又は諸外国における任意のオプション取引であってよい。
【００３２】
例えば、ユーザは、ユーザ端末２０にインストールされたブラウザ又はアプリケーションを利用してサーバ１０にアクセスし、サーバ１０を管理する証券会社が提供する金融サービスを利用する。ユーザがブラウザ又はアプリケーションから所定の操作を行うと、オプション取引における注文をするための注文画面が表示部２５に表示される。
【００３３】
図２は、注文画面の一例を示す図である。図２に示すように、注文画面Ｇの表示領域Ａ１は、株価チャートを表示させるための領域である。図２に示すように、株価チャートには、オプション取引における原資産である日経平均の時系列的な変化が示される。株価チャート自体は、公知の種々のチャートを適用可能であり、図２の例では、縦軸が価格軸であり、横軸が時間軸である。なお、図２では省略しているが、株価チャートの下に、時間軸が示す各時点における出来高が表示されてもよい。
【００３４】
表示領域Ａ２は、オプション取引におけるシナリオを選択するための領域である。シナリオとは、日経平均の大まかな動向である。例えば、シナリオは、日経平均の上下に関する動向、日経平均の変化量に関する動向、又はこれらの組み合わせである。図２の例では、「日経平均が上がる」、「日経平均が下がる」、「日経平均が大きく動く」、及び「日経平均があまり動かない」の４つのシナリオが用意されている。表示領域Ａ２には、オプション取引における満期時を入力するための入力フォームが表示されてもよい。
【００３５】
表示領域Ａ３は、シナリオに応じた戦略を選択するための領域である。戦略とは、オプション取引における注文方法である。オプション取引では、「コールの買い」、「コールの売り」、「プットの買い」、及び「プットの売り」といった４つの基本的な注文方法が存在する。戦略は、少なくとも１つの基本的な注文方法を含む。例えば、１つの注文方法単体の戦略、複数の注文方法を組み合わせた戦略、又は同じ種類の注文方法を組み合わせた戦略が存在する。オプション取引における戦略自体は、公知の戦略を適用可能であり、その具体例については、証券会社の上記ウェブサイト等を参照されたい。
【００３６】
表示領域Ａ４は、ユーザが選択した戦略に応じた板を表示するための領域である。板は、オプション取引における買い注文と売り注文の一覧表である。板には、オプション取引におけるプレミアム（価格）ごとの売数量と買数量が表示される。
【００３７】
表示領域Ａ５は、オプション取引の注文内容を入力するための領域である。表示領域Ａ５には、ユーザが選択した戦略に応じた注文内容が表示される。例えば、表示領域Ａ５には、銘柄名、現在値、前日比、売買数量、プレミアム（価格）、市場、執行数量条件、及び執行時間条件といった情報が表示される。また例えば、表示領域Ａ５には、数量を変更するためのボタン、プレミアムを変更するためのボタン、注文を執行するためのボタン、及び注文をキャンセルするためのボタン等が表示される。図２の例では、ユーザがシナリオを選択していないので、表示領域Ａ３〜Ａ５には何も表示されないものとする。
【００３８】
図３は、ユーザがシナリオを選択した場合の注文画面Ｇの一例を示す図である。図３に示すように、ユーザがシナリオを選択すると、そのシナリオに応じた戦略が検索されて表示領域Ａ３に表示される。本実施形態では、証券会社が予めシナリオと戦略の組み合わせを用意しているものとするが、ユーザが注文方法の組み合わせを指定して自由に戦略を作成できてもよい。
【００３９】
図３の例では、ユーザが「日経平均が上がる」のシナリオを選択したので、日経平均が上がった場合に利益が出る戦略が表示領域Ａ３に表示される。例えば、「コールの買い」だけを行う「上昇予想＋損失限定」の戦略と、「コールの買い」と「コールの売り」を組み合わせた「上昇予想＋利益限定＋損失限定」の戦略と、が表示される。ユーザは、表示領域Ａ３に表示された戦略の中から任意の戦略を選択できる。
【００４０】
図４は、ユーザが戦略を選択した場合の注文画面Ｇの一例を示す図である。図４に示すように、ユーザが戦略を選択すると、その戦略に応じた板が表示領域Ａ４に表示される。図４の画面例では、ユーザが「上昇予想＋利益限定＋損失限定」の戦略を選択したので、この戦略に対応する板が表示領域Ａ４に表示される。この戦略は、「コールの買い」と「コールの売り」を組み合わせた戦略である。原資産価格よりも高い行使価格（図４では「２１７５０円」）の「コールの売り」と、原資産価格よりも安い行使価格（図４では「１９７５０」円）の「コールの買い」と、を組み合わせたとすると、これらの行使価格に対応する板が表示領域Ａ４に表示される。
【００４１】
また、表示領域Ａ５には、ユーザが選択した戦略に応じた注文をするためのボタン等が表示される。図４の例では、ユーザが「上昇予想＋利益限定＋損失限定」の戦略を選択したので、「コールの売り」（図４では「Ｎｏ．１」の注文）と「コールの買い」（図４では「Ｎｏ．２」の注文）の各々を行うためのボタン等が表示領域Ａ５に表示される。ユーザは、表示領域Ａ５に表示されたボタンを選択したり入力フォームに数値を入力したりすることによって、プレミアムを指定したり注文数量を指定したりすることができる。ユーザは、執行数量条件や執行時間条件等の注文内容も指定できる。
【００４２】
本実施形態では、ユーザが選択した戦略に応じた予測損益が計算されて、その計算結果を示す予測損益画像Ｉが表示領域Ａ１に表示される。予測損益画像Ｉには、株価チャートと同様の価格軸と時間軸が設定される。図４の例では、予測損益画像Ｉの価格軸方向の幅（縦幅）と、株価チャートの価格軸方向の幅（縦幅）と、が同じである場合を示しているが、これらの幅は異なっていてもよい。ユーザの操作によって、価格軸と時間軸の各々の拡大と縮小（価格軸と時間軸の各々のスケールの変更）が可能であってもよい。
【００４３】
予測損益画像Ｉでは、色の違いと濃淡（グラデーション）によって、現状の注文内容に応じた予測損益が表現される。図４では、模式的に、色の違いを模様の違いで表現し、濃淡を模様の密度によって表現する。例えば、図４の網点模様を赤色とし、斜線模様を青色とする。予測損益画像Ｉでは、予測利益が大きいほど赤色が濃くなり（図面上は、網点模様の密度が高くなり）、予測損失が大きいほど青色が濃くなる（図面上は、斜線模様の密度が高くなる）。即ち、予測損益の絶対値が大きいほど色が濃くなる。利益も損失も出ない場合には、色は白（図面上は、模様がない状態）となる。
【００４４】
オプション取引では、行使価格と日経平均に応じて予測損失が変わるので、予測損益画像Ｉは、価格軸方向に色と濃淡の変化が発生する。また、オプション取引におけるプレミアムは、例えば満期時までの残り期間に応じて変化し、ユーザが満期時前に途中で決済した場合には、オプション取引の注文時のプレミアムと、決済時のプレミアムと、に応じた損益が発生するので、予測損益画像Ｉは、価格軸方向だけでなく時間軸方向にも、色と濃淡の変化が発生する。本実施形態では、満期時前のプレミアムの理論価格がブラックショールズモデル等のシミュレーションによって算出され、その算出結果に応じて予測損益画像Ｉの色と濃淡が決定される。
【００４５】
図４の例は、行使価格が相対的に高い「コールの売り」と、行使価格が相対的に安い「コールの買い」と、を組み合わせた「バーティカル・ブル・コール・スプレッド」の戦略が選択された場合の予測損益画像Ｉを示している。この戦略では、原資産価格の一定以上の値上がりによる利益を放棄する代わりに損失を限定できる。このため、ある一定価格以上の利益は同じになり、それ以上の色と濃淡は同じになる。同様に、ある一定価格以下の損失は同じになり、それ以下の色と濃淡は同じになる。
【００４６】
図４に示すように、予測損益画像Ｉの隣には、満期時の最大利益（予測利益の上限値）を示すスライダーＳＬ１と、満期時の最大損失（予測損失の下限値）を示すスライダーＳＬ２と、が表示される。例えば、スライダーＳＬ１は、利益を示す赤色（図面上は網点）であり、スライダーＳＬ２は、損失を示す青色（図面上は斜線）である。損益が変わらない場合、色と濃淡は同じである。例えば、スライダーＳＬ１が指し示す満期時の位置（図４では２１７５０円）から上は、利益が変わらないので色と濃淡は同じである。スライダーＳＬ２が指し示す満期時の位置（図４では１９７５０円）から下は、損失が変わらないので色と濃淡は同じである。
【００４７】
以降の説明では、スライダーＳＬ１，ＳＬ２を区別しないときは、単にスライダーＳＬと記載する。スライダーＳＬは、利益確定又は損失確定の戦略が選択された場合に表示される。ユーザは、スライダーＳＬを上下に移動させることによって、最大損益を変化させることができる。本実施形態では、スライダーＳＬが１円単位で移動する場合を説明するが、スライダーＳＬの移動単位は、任意の他の単位であってもよい。なお、スライダーＳＬは、満期時の最大損益を示すため、期中の損益が、スライダーＳＬが示す損失を下回ることもあるし、スライダーＳＬが示す利益を上回ることもある。
【００４８】
スライダーＳＬが移動して最大損益が変化すると、それに応じて行使価格も変化する。行使価格は、スライダーＳＬが指し示す位置の最も近い価格になる。スライダーＳＬが移動すると予測損益も変化するので、予測損益画像Ｉの表示も更新される。予測損益画像Ｉの表示は、スライダーＳＬの移動中（例えば、スライダーＳＬのドラッグ中）に動的に更新されてもよいし、スライダーＳＬの移動後（例えば、スライダーＳＬのドロップ後）に更新されてもよい。行使価格が変更されると、表示領域Ａ４，Ａ５の表示も更新される。
【００４９】
また、注文画面Ｇの表示中に、日経平均が変化したりプレミアムが変化したりすることがあり、これらの変化に応じて予測損益も変化することがある。このため、最新の予測損益が計算され、最新の予測損益を示すように予測損益画像Ｉの表示が更新されてもよい。最新の予測損益は、ユーザの操作に応じて計算されてもよいし、定期的に計算されてもよい。
【００５０】
ユーザは、注文画面Ｇに表示された情報を確認し、オプション取引の注文内容を決定する。ユーザは、表示領域Ａ５のボタンを操作し、注文内容を入力して注文を執行する。ユーザがシナリオを変更した場合には、そのシナリオに応じた他の戦略が表示領域Ａ３に表示される。ユーザが他の戦略を選択すると、その戦略に応じて表示領域Ａ１，Ａ４，Ａ５の表示も更新される。例えば、ユーザが選択した他の戦略に応じた予測損益が計算されて、予測損益画像Ｉの表示が更新される。
【００５１】
図５は、ユーザが戦略を変更した場合に予測損益画像Ｉが変化する様子を示す図である。図５の例では、ユーザが「バーティカル・ブル・コール・スプレッド」の戦略を選択した後に、「ロング・ストラドル」の戦略を選択し、その後に「ショート・ストラングル」の戦略を選択した場合の予測損益画像Ｉの変化を示す。図５に示す予測損益画像Ｉ間における日経平均とプレミアムは変化しないものとする。
【００５２】
「ロング・ストラドル」は、原資産価格と同程度の行使価格の「コールの買い」と「プットの買い」を組み合わせた戦略である。「ロング・ストラドル」は、行使価格を基点として、原資産価格が上下どちらでも動けば動くほど利益が出る。「ロング・ストラドル」は、最大利益は無限大となり、最大損失は、満期時に原資産価格及び行使価格が一致する場合に限定される。
【００５３】
このため「ロング・ストラドル」の予測損益画像Ｉは、注文時の原資産価格から遠ざかるほど赤色が濃くなり（図面上は網点の密度が高くなり）、注文時の原資産価格に近づくほど青色が濃くなる（図面上は斜線の密度が高くなる）。その間は、赤色と青色の間で徐々に色の濃淡が変化する。時間軸方向の色と濃淡は、プレミアムの予測値に応じて変化する。なお、「ロング・ストラドル」は、最大損失が発生する条件が１つ（満期時に原資産価格及び行使価格が一致する場合）であり行使価格が固定されるので、スライダーＳＬは表示されない。
【００５４】
「ショート・ストラングル」は、行使価格が原資産価格よりも高い「コールの売り」と行使価格が原資産価格よりも安い「プットの売り」を組み合わせた戦略である。「ショート・ストラングル」は、コールとプットの行使価格内に、原資産価格の変動が収まる（あまり変動しない）と利益が出る。「ショート・ストラングル」は、最大利益はコールとプットの行使価格内に原資産価格の変動が収まる場合に限定され、最大損失は無限大となる。
【００５５】
このため、「ショート・ストラングル」の予測損益画像Ｉは、注文時の原資産価格に近づくほど赤色が濃くなり（図面上は網点の密度が高くなり）、注文時の原資産価格から遠ざかるほど青色が濃くなる（図面上は斜線の密度が高くなる）。その間は、赤色と青色の間で徐々に色の濃淡が変化する。時間軸方向の色と濃淡は、プレミアムの予測値に応じて変化する。「ショート・ストラングル」は、最大利益が出る満期時の原資産価格をスライダーＳＬ３，ＳＬ４で変更可能である。スライダーＳＬ３，ＳＬ４に合わせて行使価格が変化する。
【００５６】
以上のように、予測損益表示システムＳは、ユーザが選択したシナリオと戦略に応じた予測損益の時系列的な変化を計算し、その計算結果に応じて、価格軸と時間軸に沿って予測損益画像Ｉの色と濃淡を異ならせる。これにより、オプション取引における予測損益の大きさを直感的に分かりやすく表示させるようにしている。以降、予測損益表示システムＳの詳細を説明する。
【００５７】
［３．予測損益表示システムで実現される機能］
図６は、予測損益表示システムＳで実現される機能の一例を示す機能ブロック図である。本実施形態では、サーバ１０とユーザ端末２０の各々で実現される機能を説明する。
【００５８】
［３−１．サーバで実現される機能］
サーバ１０は、データ記憶部１００、算出部１０１、生成部１０２、表示制御部１０３、及び変更部１０４を含む。データ記憶部１００は、記憶部１２を主として実現され、算出部１０１、生成部１０２、表示制御部１０３、及び変更部１０４の各々は、制御部１１を主として実現される。
【００５９】
［データ記憶部］
データ記憶部１００は、注文画面Ｇを表示させるために必要なデータを記憶する。本実施形態では、このデータの一例として、株価データベースＤＢ１と、オプション市況データベースＤＢ２と、を説明する。なお、株価データベースＤＢ１とオプション市況データベースＤＢ２の各々に格納される情報自体は、公知のデータベースを流用可能なので、図示を省略する。
【００６０】
株価データベースＤＢ１は、オプション取引の対象となる銘柄の株価の時系列的な変化に関するデータを記憶するデータベースである。本実施形態では、株価データベースＤＢ１は、表示領域Ａ１の株価チャートを表示させるために利用される。株価データベースＤＢ１は、最新の株価が反映されるように、定期的に更新される。
【００６１】
オプション市況データベースＤＢ２は、オプション取引の現在の市況に関するデータを記憶するデータベースである。オプション市況データベースＤＢ２には、オプション取引の対象となる銘柄ごとに、現在の市況が示されている。例えば、オプション市況データベースＤＢ２には、行使価格ごとに、プレミアムの現在値、プレミアムの前日比、プレミアムの前日終値、売数量、及び買数量等の情報が格納される。オプション市況データベースＤＢ２は、表示領域Ａ１の予測損益画像Ｉ及び表示領域Ａ４の板を表示させるために利用される。オプション市況データベースＤＢ２は、最新の市況が反映されるように、定期的に更新される。
【００６２】
なお、データ記憶部１００に記憶されるデータは、上記の例に限られない。例えば、データ記憶部１００は、利用登録を済ませたユーザの基本情報が格納されたユーザデータベースを記憶してもよい。また例えば、データ記憶部１００は、オプション取引におけるユーザの注文内容が格納された注文データベースを記憶してもよい。また例えば、データ記憶部１００は、シナリオと戦略を関連付けたデータベースを記憶してもよい。また例えば、データ記憶部１００は、注文画面Ｇ１における各画像の画像データを記憶してもよい。
【００６３】
［算出部］
算出部１０１は、取引における予測損益を算出する。予測損益とは、取引において予測される損失及び利益の少なくとも一方である。取引における価格に応じて予測損益が変わる場合には、算出部１０１は、価格に応じた予測損益を算出する。価格に応じた予測損益とは、その価格で取引された場合の予測損益である。予測損益は、予測される損失額又は利益額である。予測損益は、予め定められた計算式に基づいて計算されるようにすればよく、その計算式は、予測損益表示システムＳを適用する取引に応じた計算式であればよい。
【００６４】
本実施形態では、取引は、オプション取引なので、算出部１０１は、オプション取引における予測損益を算出する。オプション取引では、取引対象であるオプションのプレミアムに応じて予測損益が変わるので、算出部１０１は、オプション取引におけるプレミアムに応じた予測損益を算出する。
【００６５】
また、オプション取引では、満期時における日経平均の価格に応じて、満期時における予測損益が変わるので、算出部１０１は、オプション取引における日経平均（原資産）の価格に応じた予測損益を算出する。例えば、算出部１０１は、予測損益画像Ｉの価格軸の下限値の価格（図２−図４の例では１９０００円）から、予測損益画像Ｉの価格軸の上限値の価格（図２−図４の例では２３０００円）まで１円ごとに、予測損益を算出する。
【００６６】
なお、算出部１０１は、任意の他の単位で予測損益を計算してもよい。この単位は、予測損益画像Ｉの価格軸方向（縦方向）の１ピクセルに相当する価格である。また、予測損益画像Ｉの価格軸の上限値と下限値は、株価チャートの価格軸の上限値と下限値と一致しなくてもよい。
【００６７】
算出部１０１は、任意の時点における予測損益を計算可能である。算出部１０１は、少なくとも１時点の予測損益を計算すればよく、例えば、満期時における予測損益だけを計算してもよい。また例えば、算出部１０１は、満期時よりも前の１時点における予測損益だけを計算してもよい。本実施形態では、算出部１０１は、満期時を含む一定期間内の複数の時点の各々における予測損益を計算する。
【００６８】
オプション取引における予測損益の計算方法自体は、公知の計算式を利用可能である。例えば、算出部１０１は、満期時の「コールの買い」の予測損益を、「満期時の原資産価格−行使価格−プレミアム」の計算式で算出する。また例えば、算出部１０１は、満期時の「コールの売り」の予測損益を、「行使価格−満期時の原資産価格＋プレミアム」の計算式で算出する。また例えば、算出部１０１は、満期時の「プットの買い」の予測損益を、「行使価格−満期時の原資産価格−プレミアム」の計算式で算出する。また例えば、算出部１０１は、満期時の「プットの売り」の予測損益を、「満期時の原資産価格−行使価格＋プレミアム」の計算式で算出する。
【００６９】
本実施形態では、満期時の予測損益だけでなく、期中の予測損益も予測損益画像Ｉに示されるので、算出部１０１は、予測損益の時系列的な変化を算出する。期中とは、満期よりも前の時点である。即ち、現時点から満期までのうち満期時を除く期間が期中である。オプション取引では、満期時と期中で予測損益の計算方法が異なり、ユーザが期中に決済した場合には、プレミアムに応じた損益が発生する。
【００７０】
例えば、算出部１０１は、期中の「コールの買い」の予測損益を、「プレミアムの理論価格−注文時のプレミアム」の計算式で算出する。また例えば、算出部１０１は、期中の「コールの売り」の予測損益を、「注文時のプレミアム−プレミアムの理論価格」の計算式で算出する。また例えば、算出部１０１は、期中の「プットの買い」の予測損益を、「プレミアムの理論価格−注文時のプレミアム」の計算式で算出する。また例えば、算出部１０１は、期中の「プットの売り」の予測損益を、「注文時のプレミアム−プレミアムの理論価格」の計算式で算出する。
【００７１】
なお、プレミアムの理論価格は、期中におけるプレミアムの予測価格である。プレミアムの理論価格を算出する方法自体は、公知のシミュレーション方法を利用可能であり、例えば、ブラックショールズモデル又はモンテカルロ法を利用してもよい。
【００７２】
算出部１０１は、期中における複数の時点の各々について、予測損益を算出する。算出部１０１は、期中の全期間について予測損益を算出してもよいし、期中の一部についてのみ予測損益を算出してもよい。算出部１０１は、期中における一定の時間単位ごとに、予測損益を算出する。この時間単位は、予測損益画像Ｉの時間軸方向（横方向）の１ピクセルに相当する期間である。
【００７３】
本実施形態では、この時間単位と、株価チャートにおけるローソク足の時間単位とが一致する場合を説明するが、予測損益が算出される時間単位は、任意の単位であってよい。例えば、算出部１０１は、ローソク足とは関係なく、１日ごと、数時間ごと、又は数日ごとに予測損益を算出してもよい。算出部１０１は、予測損益画像Ｉの時間軸の開始時点（図２−図４の例では現時点）から、予測損益画像Ｉの時間軸の終了時点（図２−図４の例では満期時）まで、一定の時間単位ごとに予測損益を算出すればよい。
【００７４】
例えば、算出部１０１は、ユーザにより指定された、オプション取引におけるシナリオ及び戦略の少なくとも一方に基づいて、予測損益を算出する。本実施形態では、ユーザがシナリオと戦略の両方を指定する場合を説明するが、ユーザは、シナリオだけを指定してもよいし、戦略だけを指定してもよい。ユーザがシナリオだけを指定した場合、ユーザが指定したシナリオに応じた複数の戦略のうち、一つの戦略が自動的に選択されてもよい。算出部１０１は、ユーザが指定したシナリオ及び戦略に応じた計算式に基づいて、予測損益を算出する。
【００７５】
４つの基本的な注文方法の組み合わせの戦略が指定された場合には、算出部１０１は、戦略で利用される注文方法の組み合わせの各々の計算式に基づいて、予測損益を算出する。例えば、「バーティカル・ブル・コール・スプレッド」の戦略が選択された場合、算出部１０１は、「コールの買い」の計算式と「コールの売り」の計算式に基づいて、満期時と期中の予測損益を計算する。行使価格は、ユーザが選択した戦略に応じた注文内容に含まれるオプションの行使価格が用いられてもよいし、ユーザが指定した数値が用いられてもよいし、予め定められたデフォルトの数値が用いられてもよい。
【００７６】
また例えば、「ロング・ストラドル」の戦略が選択された場合、算出部１０１は、「コールの買い」の計算式と「プットの買い」の計算式に基づいて、満期時と期中の予測損益を計算する。行使価格は、ユーザが選択した戦略に応じた注文内容に含まれるオプションの行使価格が用いられてもよいし、現時点における日経平均の数値であってもよいし、その数値を多少上下させた数値であってもよい。
【００７７】
また例えば、「ショート・ストラングル」の戦略が選択された場合、算出部１０１は、「コールの売り」の計算式と「プットの売り」の計算式に基づいて、満期時と期中の予測損益を計算する。行使価格は、ユーザが選択した戦略に応じた注文内容に含まれるオプションの行使価格が用いられてもよいし、ユーザが指定した数値が用いられてもよいし、予め定められたデフォルトの数値が用いられてもよい。
【００７８】
他の戦略が選択された場合も同様に、算出部１０１は、選択された戦略に含まれる基本的な注文方法の計算式に基づいて、満期時と期中の予測損益を計算すればよい。同種類の注文方法を組み合わせた戦略であれば、算出部１０１は、行使価格を異ならせたうえで、同種類の注文方法の計算式に基づいて、満期時と期中の予測損益を計算すればよい。ユーザが数量を指定する場合には、算出部１０１は、ユーザが指定した数量に基づいて、予測損益を計算すればよい。
【００７９】
なお、ユーザが注文内容を変更した場合には、算出部１０１は、変更された注文内容に基づいて、予測損益を更に算出する。算出部１０１は、変更後の注文内容に基づいて、予測損益を再計算する。
【００８０】
［生成部］
生成部１０２は、予測損益の大きさに基づいて、所定の価格軸に沿って表示態様を異ならせた予測損益画像Ｉを生成する。本実施形態では、価格軸が縦方向である場合を説明するが、価格軸は、画面内に設定された任意の方向であればよい。例えば、価格軸は、横方向であってもよいし、斜め方向であってもよい。また、価格軸は、上方向ではなく、下方向であってもよい。
【００８１】
表示態様とは、予測損益画像Ｉの見た目であり、例えば、表示態様は、色、濃淡、輝度、透明度、模様、及び模様の密度の少なくとも１つである。別の言い方をすれば、表示態様は、画素値（ＲＧＢ画像であれば、Ｒ値、Ｇ値、及びＢ値のセット）ということもできる。予想損益画像Ｉの形状が変わらずに画素値を異ならせることは、表示態様を異ならせることに相当する。本実施形態では、色と濃淡が表示態様に相当する場合を説明する。予測損益画像Ｉの形状は予測損益に応じて変化せず、予測損益画像Ｉの色と濃淡が予測損益に応じて変化する。
【００８２】
価格軸に沿って表示態様を異ならせるとは、価格軸に沿って表示態様を変えることである。予測損益画像Ｉは、価格軸が示す価格に応じた予測損益の大きさに対応する表示態様になる。即ち、予測損益画像Ｉは、価格軸に沿って徐々に表示態様が変わる。予測損益と表示態様の関係は、予め定められていればよい。本実施形態では、予測利益が大きいほど赤色が濃くなり、予測損益が大きいほど青色が濃くなる場合を説明するが、予測損益と表示態様の関係は、本実施形態の例に限られない。
【００８３】
例えば、予測損益を１色で表現する場合、予測利益が大きいほど色が濃くなり、予測損失が大きいほど色が薄くなってもよい。これとは逆に、予測利益が大きいほど色が薄くなり、予測損失が大きいほど色が濃くなってもよい。また例えば、予測損益を多数の色で表現してもよい。この場合、予測利益が上限値の場合に赤色であり、予測利益が下がるごとに、朱色、オレンジ色、黄色になるといったように色のグラデーションが用いられてもよい。他にも例えば、予測損益に応じて、輝度、透明度、模様、及び模様の密度の少なくとも１つが徐々に変化してもよい。
【００８４】
本実施形態では、オプション取引を例に挙げているので、オプション取引において、生成部１０２は、予測損益の大きさに基づいて、価格軸に沿って予測損益画像Ｉの表示態様を異ならせる。生成部１０２は、オプション取引における日経平均（原資産）の価格を示す価格軸に沿って、予測損益画像Ｉの表示態様を異ならせる。生成部１０２は、予測損益の大きさに基づいて、予測損益画像Ｉの色及び濃淡の少なくとも一方を異ならせればよく、色と濃淡の何れか一方だけを異ならせてもよい。
【００８５】
また、本実施形態では、予測損益画像Ｉは、価格軸に平行な辺を有する四角形、より具体的には、価格軸方向に長い長方形の画像である場合を説明するが、予測損益画像Ｉは、任意の形状であってよい。例えば、予測損益画像Ｉは、正方形、三角形、五角形以上の多角形、円形、又は楕円形であってもよい。生成部１０２は、予測損益の大きさに基づいて、四角形の中の表示態様を異ならせる。
【００８６】
図７は、予測損益画像Ｉの生成方法を示す図である。図７では、時間軸をｔとし、価格軸をｐとし、予測損益画像Ｉ内の任意のピクセルをＩ（ｔ，ｐ）とする。予測損益画像Ｉは、ピクセルＩ（ｔ０，ｐＬ）、ピクセルＩ（ｔ０，ｐＨ）、ピクセルＩ（ｔ１，ｐL）、及びピクセルＩ（ｔ１，ｐＨ）を頂点とする長方形になる。ｐＬは、予測損益画像Ｉが示す原資産価格の下限値である。ｐＨは、予測損益画像Ｉが示す原資産価格の上限値である。ｔ０は、予測損益画像Ｉが示す期中のうち、時間的に最も前の時点である。本実施形態のように、注文時に予測損益画像Ｉを表示させる場合には、ｔ０は、注文時点（現時点）を示す。ｔ１は、満期時である。
【００８７】
本実施形態では、予測損益画像Ｉ内のピクセルＩ（ｐ，ｔ）ごとに、予測損益が算出される。生成部１０２は、ピクセルＩ（ｐ，ｔ）ごとに、予測損益に基づいて色と濃淡を決定する。本実施形態では、予測利益が大きいほど赤色が濃くなり、予測損失が大きいほど青色が濃くなるように、予測損益と、色及び濃淡と、の関係が定められているので、生成部１０２は、全てのピクセルＩ（ｐ，ｔ）について、そのピクセルＩ（ｐ，ｔ）に対応する予測損益に関連付けられた色と濃淡を、そのピクセルＩ（ｐ，ｔ）の色と濃淡として決定し、予測損益画像Ｉを生成する。
【００８８】
上記のように、生成部１０２は、予測損益の大きさの時系列的な変化に基づいて、価格軸と直交する時間軸に沿って予測損益画像Ｉの表示態様を異ならせる。価格軸と同様、時間軸は、任意の方向であってよく、時間軸との交差角が９０°であればよい。時間軸に沿って表示態様を異ならせるとは、時間軸に沿って表示態様を変えることである。予測損益画像Ｉは、時間軸が示す時点に応じた予測損益の大きさに対応する表示態様になる。即ち、予測損益画像Ｉは、時間軸に沿って徐々に表示態様が変わる。
【００８９】
また、生成部１０２は、オプション取引における満期時までの期間の長さに基づいて、予測損益画像Ｉの時間軸方向の幅を決定する。この長さは、期中の長さである。生成部１０２は、満期時までの期間が長いほど、予測損益画像Ｉが時間軸方向に長くなるように、予測損益画像Ｉの幅を決定する。予測損益画像Ｉの横幅（図７のｔ０とｔ１の距離）は、満期時までの期間に比例する。予測損益を計算する時間単位（予測損益画像Ｉの横１ピクセルが示す時間）をΔｔとすると、予測損益画像Ｉの横幅は、期中の長さをΔｔで割ったピクセルになる。
【００９０】
なお、生成部１０２は、株価チャートにおけるローソク足の時間軸方向の幅に対応する期間の長さに基づいて、予測損益画像Ｉの時間軸方向の幅を決定してもよい。即ち、生成部１０２は、ローソク足の時間単位と、予測損益画像Ｉの時間単位と、を一致させてもよい。例えば、ローソク足の横幅の１ピクセルが１日を示したとすると、予測損益画像Ｉの横幅の１ピクセルも１日を示すようにしてもよい。ユーザがローソク足の時間単位を変更した場合には、予測損益画像Ｉが再度生成されてもよい。
【００９１】
本実施形態では、ユーザが注文内容を変更可能なので、ユーザが注文内容を変更した場合、生成部１０２は、変更された注文内容に基づいて、予測損益画像Ｉを更に生成する。即ち、生成部１０２は、ユーザが注文内容を指定するたびに、予測損益を示す予測損益画像Ｉを再生成する。
【００９２】
［表示制御部］
表示制御部１０３は、予測損益画像Ｉを表示部２５に表示させる。表示制御部１０３は、ユーザ端末２０に対し、予測損益画像Ｉの画像データを送信することによって、予測損益画像Ｉを表示部２５に表示させる。
【００９３】
本実施形態では、表示制御部１０３は、オプション取引における原資産の株価チャートの価格軸と予測損益画像Ｉの価格軸が一致するように、株価チャートと予測損益画像Ｉを並べて表示部２５に表示させる。軸が一致するとは、軸が同じ方向を向くことである。即ち、ある軸と他の軸の交差角が０°になることは、これらの軸が一致することに相当する。なお、原資産の株価チャートの価格軸と予測損益画像Ｉの価格軸は、一致せずに多少ずれていてもよい。株価チャートは、株価データベースＤＢ１に基づいて作成されるようにすればよく、株価チャートの作成方法自体は、公知の方法を利用可能である。
【００９４】
なお、図２−図４の例では、株価チャートの右に予測損益画像Ｉが配置される場合を示したが、株価チャートと予測損益画像Ｉの位置関係は、図２−図４の例に限られない。例えば、株価チャートと予測損益画像Ｉの高さは一致していなくてもよく、多少は高さがずれていてもよい。また例えば、株価チャートの左に予測損益画像Ｉが配置されてもよい。また例えば、株価チャートと予測損益画像Ｉは、上下又は斜めに並べられてもよい。
【００９５】
本実施形態では、表示制御部１０３は、オプション取引における原資産の株価チャートの時間軸と予測損益画像Ｉの時間軸とが一致するように、株価チャートと予測損益画像Ｉを並べて表示部２５に表示させる。なお、株価チャートの時間軸と予測損益画像Ｉの時間軸は、一致せずに多少ずれていてもよい。また、株価チャートの時間軸と予測損益画像Ｉの時間軸とが一致しており、株価チャートの価格軸と予測損益画像Ｉの価格軸とが一致していなくてもよい。
【００９６】
例えば、表示制御部１０３は、予測損益画像Ｉの価格軸において、オプション取引における予測利益の上限値及び予測損益の下限値の少なくとも一方を示すように、スライダーＳＬを表示させる。スライダーＳＬは、所定の画像の一例である。所定の画像は、ポインタやカーソルなどの他の画像であってもよい。満期時の予測利益の上限値を示すスライダーＳＬは、価格軸における位置がその上限値を指し示すような位置に表示される。満期時の予測損益の下限値を示すスライダーＳＬは、価格軸における位置がその下限値を指し示すような位置に表示される。
【００９７】
表示制御部１０３は、ユーザにより行われた移動操作に基づいて、スライダーＳＬを価格軸方向に移動させる。移動操作は、スライダーＳＬを移動させるための任意の操作であってよく、例えば、ドラッグアンドドロップ、クリック、フリック、又はタップなどである。表示制御部１０３は、移動操作により指示された移動方向にスライダーＳＬを移動させる。スライダーＳＬは、移動範囲に制限がなくてもよいし、所定の範囲（例えば、理論上の予測損益の範囲）内で移動してもよい。
【００９８】
［変更部］
変更部１０４は、スライダーＳＬの移動操作に基づいて、オプション取引における注文内容を変更する。変更部１０４は、スライダーＳＬが指し示す価格を行使価格として決定し、注文内容を変更する。変更部１０４は、価格軸におけるスライダーＳＬの位置に基づいて、行使価格を変更する。なお、ユーザが表示領域Ａ５に対して注文内容を変更する操作をした場合には、変更部１０４は、その操作に基づいて、注文内容を変更する。
【００９９】
［３−２．ユーザ端末で実現される機能］
ユーザ端末２０は、データ記憶部２００、受付部２０１、及び表示制御部２０２を含む。データ記憶部２００は、記憶部２２を主として実現され、受付部２０１と表示制御部２０２の各々は、制御部２１を主として実現される。
【０１００】
［データ記憶部］
データ記憶部２００は、注文画面Ｇを表示させるために必要なデータを記憶する。例えば、データ記憶部２００は、注文画面Ｇを表示させるためのブラウザのプログラムを記憶する。また例えば、データ記憶部２００は、証券会社が提供するサービスを利用するためのアプリケーションを記憶する。
【０１０１】
［受付部］
受付部２０１は、操作部２４の検出信号に基づいて、注文画面Ｇに対するユーザの操作を受け付ける。受付部２０１は、サーバ１０に対し、操作部２４から受け付けた操作内容を示すデータを送信する。
【０１０２】
［表示制御部］
表示制御部２０２は、注文画面Ｇを表示部２５に表示させる。表示制御部２０２は、注文画面Ｇを表示させるためのデータを受信し、注文画面Ｇを表示部２５に表示させる。
【０１０３】
［４．予測損益表示システムで実行される処理］
図８及び図９は、予測損益表示システムＳで実行される処理の一例を示すフロー図である。図８及び図９に示す処理は、制御部１１が記憶部１２に記憶されたプログラムに従って動作し、制御部２１が記憶部２２に記憶されたプログラムに従って動作することによって実行される。下記に説明する処理は、図６に示す機能ブロックにより実行される処理の一例である。
【０１０４】
図８に示すように、ユーザ端末２０は、注文画面Ｇを表示させるための操作が受け付けられると、サーバ１０に対し、注文画面Ｇの表示要求を送信する（Ｓ１）。サーバ１０は、表示要求を受信すると、株価データベースＤＢ１に基づいて、所定の期間（例えば、ユーザが指定した期間）における株価チャートを作成し（Ｓ２）、ユーザ端末２０に対し、注文画面Ｇの表示データを送信する（Ｓ３）。表示データは、注文画面Ｇを表示させるためのデータである。ブラウザ上で注文画面Ｇを表示させる場合には、表示データはＨＴＭＬデータであり、アプリケーション上で注文画面Ｇを表示させる場合には、表示データはアプリケーションに対応した形式のデータであればよい。
【０１０５】
ユーザ端末２０は、表示データを受信すると、注文画面Ｇを表示部２５に表示させる（Ｓ４）。Ｓ４の時点では、ユーザがシナリオを選択していないので、注文画面Ｇは、図２のような状態になる。ユーザは、表示領域Ａ２に表示された４つのシナリオの何れかを選択する。ユーザ端末２０は、サーバ１０に対し、ユーザにより選択されたシナリオの識別情報を送信する（Ｓ５）。サーバ１０は、シナリオの識別情報を受信すると、ユーザ端末２０に対し、ユーザにより選択されたシナリオに応じた戦略の画像データを送信する（Ｓ６）。この画像データは、戦略に応じた損益チャートの画像データである。
【０１０６】
ユーザ端末２０は、画像データを受信すると、ユーザにより選択されたシナリオに応じた戦略を表示領域Ａ３に表示させる（Ｓ７）。Ｓ７において表示される注文画面Ｇは、図３のような状態になる。ユーザは、表示領域Ａ３に表示された戦略の何れかを選択する。ユーザ端末２０は、サーバ１０に対し、ユーザにより選択された戦略の識別情報を送信する（Ｓ８）。サーバ１０は、戦略の識別情報を受信すると、オプション市況データベースＤＢ２に基づいて、ユーザにより選択された戦略に基づいて、予測損益を算出する（Ｓ９）。
【０１０７】
Ｓ９においては、サーバ１０は、「コールの買い」、「コールの売り」、「プットの買い」、及び「プットの売り」の４つの注文方法のうち、ユーザにより選択された戦略に含まれる少なくとも１つの注文方法を特定する。サーバ１０は、特定した注文方法に対応するプレミアムの時系列的な変化を、シミュレーションによって算出する。サーバ１０は、特定した注文方法に対応する計算式に行使価格とプレミアムを代入し、満期時の予測損益と、期中における予測損益の時系列的な変化と、を算出する。
【０１０８】
サーバ１０は、Ｓ９で算出した予測損益に基づいて、予測損益画像Ｉを生成する（Ｓ１０）。Ｓ１０においては、サーバ１０は、各時点における原資産価格ごとの予測損益の変化が、価格軸方向に沿って色と濃淡によって表現され、かつ、各原資産価格の予測損益の時系列的な変化が、時間軸方向に沿って色と濃淡によって表現されるような予測損益画像Ｉを生成する。
【０１０９】
サーバ１０は、オプション市況データベースＤＢ２に基づいて、表示領域Ａ４に表示される板の画像データを生成し（Ｓ１１）、図９に移り、表示領域Ａ５に表示されるオプション取引を注文するためのボタン等の画像データを生成する（Ｓ１２）。サーバ１０は、ユーザ端末２０に対し、Ｓ１０で生成した予測損益画像Ｉの画像データ、Ｓ１１で生成した板の画像データ、及びＳ１２で生成したボタン等の画像データを送信する（Ｓ１３）。ユーザ端末２０は、これらの画像データを受信すると、予測損益画像Ｉ等を注文画面Ｇに表示させる（Ｓ１４）。Ｓ１４において表示される注文画面Ｇは、図４のような状態になる。
【０１１０】
ユーザ端末２０は、操作部２４の検出信号に基づいて、ユーザの操作を特定する（Ｓ１５）。ここでは、他のシナリオを選択するシナリオ選択操作、他の戦略を選択する戦略選択操作、スライダーＳＬを移動させる移動操作、又は注文を執行する注文執行操作の何れかが行われる場合を説明する。ユーザが他の操作をした場合には、当該他の操作に応じた処理が実行される。なお、スライダーＳＬが表示されない戦略が選択されている場合には、移動操作は行われない。
【０１１１】
ユーザがシナリオ選択操作をした場合（Ｓ１５：シナリオ選択操作）、Ｓ５の処理に戻り、ユーザが選択した他のシナリオに応じた戦略が表示領域Ａ３に表示される。ユーザが戦略選択操作をした場合（Ｓ１５：戦略選択操作）、Ｓ８の処理に戻り、ユーザが選択した他の戦略に応じた予測損益画像Ｉ等が注文画面Ｇに表示される。
【０１１２】
ユーザが移動操作をした場合（Ｓ１５：移動操作）、ユーザ端末２０は、移動操作に応じてスライダーＳＬを移動させ（Ｓ１６）、サーバ１０に対し、スライダーＳＬが指し示す価格を送信する（Ｓ１７）。サーバ１０は、スライダーＳＬが示す価格を受信すると、その価格に基づいて、予測損益を再計算し（Ｓ１８）、Ｓ１０の処理に戻る。なお、表示領域Ａ４，Ａ５の表示を更新する必要がなければ、その後のＳ１１とＳ１２の処理は実行されない。Ｓ１８で再計算された予測損益を示す予測損益画像Ｉは、その後のＳ１３の処理でユーザ端末２０に送信され、Ｓ１４の処理でユーザ端末２０に表示される。
【０１１３】
ユーザが注文執行操作をした場合（Ｓ１５：注文執行操作）、ユーザ端末２０は、サーバ１０に対し、ユーザの注文内容を含む注文執行要求を送信する（Ｓ１９）。注文執行要求には、表示領域Ａ５に入力された注文内容が含まれる。サーバ１０は、注文執行要求を受信すると、ユーザの注文を執行し（Ｓ２０）、本処理は終了する。
【０１１４】
実施形態の予測損益表示システムＳによれば、取引における予測損益の大きさに基づいて、所定の価格軸に沿って表示態様を異ならせた予測損益画像Ｉを生成して表示させ、取引における予測損益の大きさを直感的に分かりやすく表示させることができる。例えば、実施形態のように、予測損益画像Ｉの色と濃淡によって予測損益を表現することによって、予測損益の変化を視覚的に感じ取りやすくなるので、より直感的なインタフェースとすることができる。
【０１１５】
また、予測損益表示システムＳは、オプション取引における予測損益を算出し、予測損益の大きさに基づいて、価格軸に沿って予測損益画像Ｉの表示態様を異ならせることによって、オプション取引における予測損益の大きさを直感的に分かりやすく表示させることができる。
【０１１６】
また、予測損益表示システムＳは、オプション取引における原資産の価格を示す価格軸に沿って、予測損益画像Ｉの表示態様を異ならせることによって、価格軸に沿った予測損益の変化を直感的に分かりやすく表示させることができる。
【０１１７】
また、予測損益表示システムＳは、オプション取引における原資産の価格に応じた予測損益を算出することによって、原資産の価格に応じた予測損益を直感的に分かりやすく表示させることができる。
【０１１８】
また、予測損益表示システムＳは、オプション取引における原資産の株価チャートの価格軸と予測損益画像Ｉの価格軸が一致するように、株価チャートと予測損益画像Ｉを並べて表示させることによって、原資産価格の推移と、オプション取引における予測損益と、に関連性を持たせた表示とすることができ、オプション取引における予測損益の大きさを、より直感的に分かりやすく表示させることができる。
【０１１９】
また、予測損益表示システムＳは、予測損益の大きさの時系列的な変化に基づいて、価格軸と直交する時間軸に沿って予測損益画像Ｉの表示態様を異ならせることによって、期中における予測損益の時系列的な変化を、直感的に分かりやすく表示させることができる。
【０１２０】
また、予測損益表示システムＳは、オプション取引における満期時までの期間の長さに基づいて、予測損益画像Ｉの時間軸方向の幅を決定することによって、期中における予測損益を表示させるスペースを十分に確保できる。また、予測損益画像Ｉの時間軸方向の幅から満期時までの長さを直感的に分かりやすく表示させることができる。
【０１２１】
また、予測損益表示システムＳは、株価チャートの時間軸と予測損益画像Ｉの時間軸とが一致するように、株価チャートと予測損益画像Ｉを並べて表示させることによって、オプション価格の推移と、オプション取引における予測損益と、に関連性を持たせた表示とすることができ、オプション取引における予測損益の大きさを、より直感的に分かりやすく表示させることができる。
【０１２２】
また、予測損益表示システムＳは、株価チャートにおけるローソク足の時間軸方向の幅に対応する期間の長さに基づいて、予測損益画像Ｉの時間軸方向の幅を決定することによって、株価チャートと予測損益画像Ｉの時間的なスケールを合わせることができ、より分かりやすい表示とすることができる。
【０１２３】
また、予測損益表示システムＳは、予測損益画像Ｉの価格軸において、オプション取引の満期時における予測利益の上限値及び予測損益の下限値の少なくとも一方を示すように、スライダーＳＬを表示させ、ユーザにより行われた移動操作に基づいて、スライダーＳＬを価格軸方向に移動させ、移動操作に基づいて、オプション取引における注文内容を変更することによって、注文内容を変更しやすくなる。また、スライダーＳＬの移動に応じて注文画面Ｇの表示を更新することで、より使いやすいインタフェースとすることができる。
【０１２４】
また、予測損益表示システムＳは、オプション取引におけるシナリオ及び戦略の少なくとも一方に基づいて、予測損益を算出することによって、ユーザの利便性を高めることができる。
【０１２５】
また、予測損益表示システムＳは、予測損益の大きさに基づいて、予測損益画像Ｉの色及び濃淡の少なくとも一方を異ならせることによって、色や濃淡といったより直感的な指標を利用して、予測損益を表示させることができる。
【０１２６】
また、予測損益画像Ｉは、価格軸に平行な辺を有する四角形の画像であり、予測損益の大きさに基づいて、四角形の中の表示態様を異ならせることによって、シンプルな形状の予測損益画像Ｉを利用して、直感的に分かりやすい表示とすることができる。
【０１２７】
［５．変形例］
なお、本開示は、以上に説明した実施の形態に限定されるものではない。本開示の趣旨を逸脱しない範囲で、適宜変更可能である。
【０１２８】
（１）例えば、ユーザが、予測損益画像Ｉの濃淡を変化させる閾値を指定できるようにしてもよい。例えば、ユーザは、予測損益画像Ｉを細かくグラデーションさせたい場合には小刻みに閾値を設定し、予測損益画像Ｉを大まかにグラデーションさせたい場合には大まかな閾値を設定する。
【０１２９】
生成部１０２は、ユーザにより指定された、予測損益の大きさに関する閾値に基づいて、予測損益画像Ｉを生成する。生成部１０２は、予測損益画像Ｉ内の各ピクセルＩ（ｐ，ｔ）の色と濃淡を決定する際に、ユーザが指定した閾値を参照する。生成部１０２は、ピクセルＩ（ｐ，ｔ）ごとに、予測損益とユーザが指定した閾値とに基づいて、そのピクセルＩ（ｐ，ｔ）の色と濃淡を決定する。
【０１３０】
変形例（１）によれば、ユーザにより指定された、予測損益の大きさに関する閾値に基づいて、予測損益画像Ｉを生成することによって、ユーザの利便性を高めることができる。
【０１３１】
（２）また例えば、ユーザが予測損益画像Ｉの色を指定できるようにしてもよい。例えば、ユーザは、ある程度の利益までは赤色で表示させ、最大利益に達した場合にピンク色に指定してもよい。また例えば、ユーザは、ある程度の損失までは青色で表示させ、最大損失に達した場合に黒色に指定してもよい。
【０１３２】
生成部１０２は、ユーザにより指定された、予測損益の大きさに関する色に基づいて、予測損益画像Ｉを生成する。生成部１０２は、予測損益画像Ｉ内の各ピクセルＩ（ｐ，ｔ）の色と濃淡を決定する際に、ユーザが指定した色を参照する。生成部１０２は、ピクセルＩ（ｐ，ｔ）ごとに、予測損益とユーザが指定した色とに基づいて、そのピクセルＩ（ｐ，ｔ）の色と濃淡を決定する。
【０１３３】
変形例（２）によれば、ユーザにより指定された、予測損益の大きさに関する色に基づいて、予測損益画像Ｉを生成することによって、ユーザの利便性を高めることができる。
【０１３４】
（３）また例えば、上記変形例を組み合わせてもよい。
【０１３５】
また例えば、予測損益表示システムＳをオプション取引に適用した場合を説明したが、予測損益表示システムＳは、他の取引に適用してもよい。例えば、予測損益表示システムＳは、先物取引に適用してもよい。この場合、予測損益表示システムＳは、先物取引における予測損益を算出し、その予測損益に応じた予測損益画像Ｉをユーザ端末２０に表示させるようにすればよい。また例えば、予測損益表示システムＳは、満期が設定されない通常の株取引に適用してもよい。この場合、予測損益表示システムＳは、銘柄の株価をシミュレーションして予測損益を算出し、その予測損益に応じた予測損益画像Ｉをユーザ端末２０に表示させるようにすればよい。
【０１３６】
また例えば、予測損益表示システムＳは、金取引、原油取引、プラチナなどの金以外の貴金属取引、外貨取引、又は不動産取引といった任意の取引に適用可能である。これらの取引に適用する場合についても、実施形態や変形例で説明した方法と同様にして、予測損益表示システムＳは、将来の予測損益を算出し、予測損益に応じた予測損益画像Ｉをユーザ端末２０に表示させるようにすればよい。
【０１３７】
また例えば、サーバ１０で実現されるものとして説明した機能は、ユーザ端末２０で実現されてもよい。例えば、算出部１０１、生成部１０２、及び変更部１０４がユーザ端末２０で実現されてもよい。また例えば、表示制御部１０３が実行するものとして説明した処理が、表示制御部２０２により実行されてもよい。また例えば、各機能が複数のコンピュータで分担されてもよい。また例えば、データ記憶部１００，２００に記憶されるものとして説明したデータは、サーバ１０及びユーザ端末２０とは異なる他のコンピュータ又は情報記憶媒体に記憶されていてもよい。
【符号の説明】
【０１３８】
Ｓ  予測損益表示システム、Ｎ  ネットワーク、１０  サーバ、２０  ユーザ端末、１１，２１  制御部、１２，２２  記憶部、１３，２３  通信部、２４  操作部、２５  表示部、Ｇ  注文画面、Ｉ  予測損益画像、Ａ１，Ａ２，Ａ３，Ａ４，Ａ５  表示領域、ＳＬ，ＳＬ１，ＳＬ２，ＳＬ３  スライダー、１００  データ記憶部、１０１  算出部、１０２  生成部、１０３  表示制御部、１０４  変更部、２００  データ記憶部、２０１  受付部、２０２  表示制御部、ＤＢ１  株価データベース、ＤＢ２  オプション市況データベース。
【図１】
2022003483.tif 000003
【図２】
2022003483.tif 000004
【図３】
2022003483.tif 000005
【図４】
2022003483.tif 000006
【図５】
2022003483.tif 000007
【図６】
2022003483.tif 000008
【図７】
2022003483.tif 000009
【図８】
2022003483.tif 000010
【図９】
2022003483.tif 000011